(57)【特許請求の範囲】
【請求項１】
操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、
前記可動接点部における前記基板側に設けられた被当接面に対向する箇所を、電気接点部と非電気接点部とから構成してなり、
前記操作子の駆動状態に従って前記可動接点部が基板に当接する際に、前記可動接点部の非電気接点部が前記基板側に設けられた被当接面と当接した後に、前記可動接点部の電気接点部を当接して電気的接触を得ることを特徴とする電子楽器における操作子スイッチの接点構造。
【請求項２】
前記操作子の駆動状態に従って前記可動接点部が前記基板側の被当接面に対して順次に当接するように、前記可動接点部における前記基板側に設けられた被当接面に対向する箇所を傾斜形状に形成してなり、当該箇所の頂点部側に非電気接点部を、当該箇所の裾側に電気接点部を配置したことを特徴とする請求項１に記載の電子楽器における操作子スイッチの接点構造。
【請求項３】
前記操作子の駆動状態に従って前記可動接点部が前記基板側の被当接面に対して面当接しないように、前記可動接点部における前記基板側に設けられた被当接面に対向する箇所における非電気接点部または前記非電気接点部が当接する前記基板側の被当接面の少なくともどちらか一方に凸形状部を配置したことを特徴とする請求項１に記載の電子楽器における操作子スイッチの接点構造。
【請求項４】
前記可動接点部における前記基板側に設けられた被当接面に対向する箇所に所定の溝部を形成してなり、前記溝部を境にして前記対向箇所を電気接点部と非電気接点部とに分けて構成するようにしたことを特徴とする請求項１に記載の電子楽器における操作子スイッチの接点構造。
【請求項５】
操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、
前記可動接点部における前記基板側に設けられた被当接面に対向する箇所を、電気接点部と非電気接点部とから構成してなり、
前記操作子の駆動状態に従って前記可動接点部における前記対向箇所は回動駆動するものであって、基板側に設けられた被当接面に面当接して電気的接触を得ることを特徴とする電子楽器における操作子スイッチの接点構造。
【請求項６】
操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、
前記基板側に設けられた被当接面を電気接点部と非電気接点部とから構成してなり、
前記操作子の駆動状態に従って前記可動接点部が基板に当接する際に、前記可動接点部が前記基板側に設けられた被当接面における非電気接点部と当接した後に前記基板側に設けられた被当接面における電気接点部と当接して電気的接触を得ることを特徴とする電子楽器における操作子スイッチの接点構造。
【請求項７】
操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、
前記基板側に設けられた被当接面を一対のくし歯形電気接点部で構成し、該一対のくし歯形電気接点部を、それぞれのくし歯接点が噛み合った状態で相互に絶縁して配置してなり、
前記基板側の被当接面に構成される電気接点部は電極であって、前記操作子の駆動に従って前記可動接点部が基板に当接する際に、前記可動接点部が前記基板側に設けられた被当接面における前記一対のくし歯形電気接点部のいずれか一方のみのくし歯の根元と先行当接し、さらなる前記操作子の駆動に従って前記基板側に設けられた被当接面における前記一対のくし歯形電気接点部のそれぞれのくし歯接点が噛み合った部分に当接して両くし歯形電気接点部間を導通することで電気的接触を得ることを特徴とする電子楽器における操作子スイッチの接点構造。
【発明の詳細な説明】
【０００１】
【発明の属する技術分野】
本発明は、電子楽器に用いられる鍵盤などの各種操作子のスイッチ動作を検出するための電子楽器における操作子スイッチの接点構造に関するものであり、特にチャタリングの発生を防止するようにした電子楽器における操作子スイッチの接点構造に関する。
【０００２】
【従来の技術】
最近の電子楽器においては演奏操作子は勿論のこと、電子楽器に対して演奏条件などの各種設定を行うための数多くの操作子を具えている。ユーザはこうした操作子を適宜に操作することで、演奏を行ったり各種設定を行うことができるようになっている。例えば、電子ピアノやシンセサイザーといった電子鍵盤楽器では鍵盤型の演奏操作子を具えており、各演奏操作子に対する押鍵動作（スイッチ動作）を検出することで所定の演奏信号を生成することができる。こうした各演奏操作子に対する押鍵動作の検出は、操作子スイッチ（キースイッチとも呼ぶ）によって行われる。このキースイッチは各鍵毎に各鍵に対応するようにして設けられているものであって、各キースイッチの接点部が各鍵に対する押鍵操作（スイッチ操作）に応じて所定の基板上の固定接点と接触し、この接点部と基板上の固定接点の接触に応じてスイッチング動作が行われ所定の演奏信号を生成するようになっている。こうした従来から知られた電子楽器におけるキースイッチの接点構造について、図６を用いて簡単に説明する。図６は、従来から知られた代表的な操作子スイッチ（キースイッチ）の接点構造を説明するための概念図である。ただし、ここでは説明を理解しやすくするために、電子鍵盤楽器における各鍵に対応して設けられているキースイッチを例にして説明する。図６（ａ）はキースイッチの全体構成を示した概念図であり、図６（ｂ）は該キースイッチにおける可動接点部の先端部分（すなわち、図６（ａ）において点線で示した円の部分）のみを特に拡大して示した拡大図である。
【０００３】
図６（ａ）から理解できるように、電子ピアノ等の電子楽器で用いられる従来から知られた操作子スイッチ（キースイッチ）１は可動接点部５と支持部６（またはスプリング部とも呼ぶ）と基板７とから構成されてなり、回転支点部３に回動自在に支持された白鍵あるいは黒鍵からなる鍵２のそれぞれに対応するようにして配置されている。図示のような押鍵前の状態から鍵２を押鍵すると、鍵２が回転支点部３を支点として下方へと回動し、この鍵２に設けられたアクチュエータ部４が可動接点部５を上部から押し下げる。このアクチュエータ部４による押圧に従って、可動接点部５は回動を開始して基板７に向かって下降していく。そして、下降を続けて可動接点部５の先端部分に設けられている導電部５ａが基板７と接触するとオン状態を検知し、所定の発音機構（図示せず）を動作して発音を開始する。すなわち、図６（ｂ）から理解できるように、可動接点部５において基板７と対向する先端部分における当接面Ａには一面全体に導電部５ａが形成されている。この可動接点部５の当接面Ａに設けられている導電部５ａは、押鍵時に回動支点部３を軸に揺動する鍵２に設けたアクチュエータ部４によって可動接点部５上部が押圧駆動されて下方に回動することに伴い基板７に対して垂直方向（矢印Ｘ方向）に当接し、前記可動接点部５に対となるようにして基板７上の所定位置に形成されている図示しない所定の導電パターンによる固定接点（または被当接部とも呼ぶ）をオンする。
【０００４】
また、可動接点部５はゴムのような弾性材料を用いて形成されているものであって、こうした可動接点部５は同じく弾性材料からなる支持部６によって基板７上に支持されるようにして支持部６と一体的に形成される。したがって、押鍵時において鍵２の下方回動により可動接点部５を押圧駆動すると、可動接点部５及び支持部６は弾性変形するのでこれらに弾性エネルギーが蓄えられ、離鍵時における鍵２の上方回動により可動接点部５を押圧から開放すると、該可動接点部５及び支持部６に蓄えられていた弾性エネルギーが放出されて、可動接点部５及び支持部６を押鍵前の位置に自動的に戻すようになっている。この際に、可動接点部５における導電部５ａが基板７の被当接部から離れることにより、基板７上の所定位置に形成されている図示しない所定の導電パターンによる固定接点をオフする。このように、可動接点部５の当接面Ａに設けられている導電部５ａが基板７上の所定の導電パターンによる固定接点と接触したり離れたりすることによってスイッチング動作が行われ、このスイッチング動作に応じて押鍵を検知することに応じて所定の演奏信号を生成することができるようになっている。
【０００５】
【発明が解決しようとする課題】
ところで、上述の図６に示したような従来から知られた電子楽器における操作子スイッチ（キースイッチ）の接点構造では鍵２が強打されたような場合に弾性材料からなる支持部６が想定通りに可動接点部５を支えることができずに、可動接点部５における先端部分が基板７との間でバウンドするなどの不要な雑振動が起こることがある。すなわち、１回だけの押鍵操作にも関わらず、可動接点部５における先端部分に形成されている導電部５ａと基板７上の所定の導電パターンによる固定接点（図示せず）とが何度も接触状態と非接触状態とを繰り返すことが生じてしまうことがある。また、上述したように可動接点部５及び支持部６はゴムのような弾性材料により一体的に形成されることから、その弾性材料の加工精度や材料特性などが各鍵２毎に異なることが多い。すなわち、各鍵２毎に配置される可動接点部５及び支持部６はどれも全く同じ寸法精度や材料硬度精度で形成されるものであるとは限らず、またこれらの可動接点部５や支持部６などは長期間の使用により自然に劣化するものであることから、可動接点部５における基板７との当接面Ａの平面性にばらつきが生じることがある。さらに、可動接点部５が接触する相手方である基板７の平面性にもばらつきが生じていることもある。こうしたことによっても、１回の押鍵操作にも関わらず、可動接点部５の導電部５ａと基板７上の固定接点とが何度も接触状態と非接触状態とを繰り返すことが生じてしまうことがある。このように、従来から知られた電子楽器における操作子スイッチ（キースイッチ）の接点構造は１回の押鍵操作に応じて接点がオン／オフ時に飛び跳ねて何度も接点が接触状態と非接触状態とを繰り返してしまうチャタリングが発生しやすい構造であり、こうしたチャタリングの発生は二度鳴りなどの原因となることから電子楽器にとって非常に不都合である、という問題点があった。
【０００６】
この発明は上述の点に鑑みてなされたもので、微妙なスイッチの揺れや変動またはスイッチ自身に生じた劣化等に関わらず、常にスイッチを安定的に動作させることによりチャタリングの発生を防止することができるようにした電子楽器における操作子スイッチ（キースイッチ）の接点構造を提供しようとするものである。
【０００７】
【課題を解決するための手段】
本発明の第１の請求項に係る電子楽器における操作子スイッチの接点構造は、操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、前記可動接点部における前記基板側に設けられた被当接面に対向する箇所を、電気接点部と非電気接点部とから構成してなり、前記操作子の駆動状態に従って前記可動接点部が基板に当接する際に、前記可動接点部の非電気接点部が前記基板側に設けられた被当接面と当接した後に、前記可動接点部の電気接点部を当接して電気的接触を得ることを特徴とする。
【０００８】
この発明によれば、操作子の駆動状態に従って支持部に支持された可動接点部が基板に当接する際に、前記可動接点部における前記基板側に設けられた被当接面に対向する箇所に構成された非電気接点部が前記基板側に設けられた被当接面と当接した後に、前記可動接点部における前記基板側に設けられた被当接面に対向する箇所に構成された電気接点部を当接して電気的接触を得る。すなわち、前記基板側に設けられた被当接面と対向する前記可動接点部の対向箇所を、電気接点部と非電気接点部とから構成しており、通常のスイッチ操作に伴う操作子の駆動状態に従って可動接点部が基板に当接する際には、前記可動接点部の非電気接点部が前記基板側に設けられた被当接面と当接した後に、前記可動接点部の電気接点部を当接する。一方で、通常のスイッチ操作以外の不要雑振動などに伴う操作子の駆動状態に従って可動接点部が基板に当接する際においては、前記可動接点部の非電気接点部のみが前記基板側に設けられた被当接面と当接し、前記可動接点部の電気接点部とは当接しない。こうすることにより、微妙な可動接点部の揺れや変動または可動接点部自身の劣化等に関わらず、常にスイッチを安定的に接触させることができる。すなわち、チャタリングの発生を防止することができるようになる。
【０００９】
本発明の第５の請求項に係る電子楽器における操作子スイッチの接点構造は、操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、前記可動接点部における前記基板側に設けられた被当接面に対向する箇所を、電気接点部と非電気接点部とから構成してなり、前記操作子の駆動状態に従って前記可動接点部における前記対向箇所は回動駆動するものであって、基板側に設けられた被当接面に面当接して電気的接触を得ることを特徴とする。これによると、可動接点部が本来想定された回動駆動、すなわち通常のスイッチ操作された場合には前記可動接点部が基板側に設けられた被当接面に面当接するようにし、通常のスイッチ操作以外の不要雑振動した場合には前記可動接点部が基板側に設けられた被当接面に面当接しない。したがって、微妙な可動接点部の揺れや変動または可動接点部自身の劣化等に関わらず、常にスイッチを安定的に接触させることができる。すなわち、チャタリングの発生を防止することができるようになっている。
【００１０】
本発明の第６の請求項に係る電子楽器における操作子スイッチの接点構造は、操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、前記基板側に設けられた被当接面を電気接点部と非電気接点部とから構成してなり、前記操作子の駆動状態に従って前記可動接点部が基板に当接する際に、前記可動接点部が前記基板側に設けられた被当接面における非電気接点部と当接した後に前記基板側に設けられた被当接面における電気接点部と当接して電気的接触を得ることを特徴とする。これによると、可動接点部が本来想定された回動駆動、すなわち通常のスイッチ操作された場合には前記可動接点部が前記基板側に設けられた被当接面における非電気接点部と当接した後に前記基板側に設けられた被当接面における電気接点部と当接する。一方で、通常のスイッチ操作以外の不要雑振動などに伴う操作子の駆動状態に従って可動接点部が基板に当接する際においては、前記可動接点部が前記基板側に設けられた被当接面と当接し、前記基板側に設けられた電気接点部とは当接しない。したがって、微妙な可動接点部の揺れや変動または可動接点部自身の劣化等に関わらず、常にスイッチを安定的に接触させることができる。すなわち、チャタリングの発生を防止することができるようになっている。
【００１１】
本発明の第７の請求項に係る電子楽器における操作子スイッチの接点構造は、操作子の駆動状態によって弾性変形する支持部に支持された可動接点部が、所定の基板側に設けられた被当接面と当接することで電気的接触を得てスイッチ動作を検出する電子楽器における操作子スイッチの接点構造であって、前記基板側に設けられた被当接面を一対のくし歯形電気接点部で構成し、該一対のくし歯形電気接点部を、それぞれのくし歯接点が噛み合った状態で相互に絶縁して配置してなり、前記基板側の被当接面に構成される電気接点部は電極であって、前記操作子の駆動に従って前記可動接点部が基板に当接する際に、前記可動接点部が前記基板側に設けられた被当接面における前記一対のくし歯形電気接点部のいずれか一方のみのくし歯の根元と先行当接し、さらなる前記操作子の駆動に従って前記基板側に設けられた被当接面における前記一対のくし歯形電気接点部のそれぞれのくし歯接点が噛み合った部分に当接して両くし歯形電気接点部間を導通することで電気的接触を得ることを特徴とする。これによると、通常のスイッチ操作以外の不要雑振動などに伴う操作子の駆動状態に従って可動接点部が基板に当接する際においては、前記可動接点部が前記基板側に設けられた被当接面における一方のくし歯形電気接点部とのみ先行当接することから、通常のスイッチ操作以外の際に起こり得るチャタリングの発生を防止することができるようになっている。また、操作子の駆動（押圧）過程で、微妙な駆動（押圧）力の変動や外乱などによって可動接点部の動きが上下に多少変動したとしても、一対のくし歯形電気接点部のそれぞれのくし歯接点が噛み合った部分に当接して両くし歯形電気接点部間を導通している構成であるので、導通状態が確保されることとなり、チャタリングの発生を防止することができる。
【００１２】
【発明の実施の形態】
以下、添付図面を参照しながらこの発明を詳細に説明する。ただし、説明を理解しやすくするために、以下に示す各実施例では電子鍵盤楽器における各鍵に対応して設けられているキースイッチについて説明する。
【００１３】
図１は、本発明に係る電子楽器における操作子スイッチ（キースイッチ）の接点構造の一実施例を示した概念図である。この図１（ａ）〜図１（ｃ）の各図に示した実施例は可動接点部５における基板７との当接面Ａに導電部５ａと絶縁部５ｂとを設けてなり、鍵盤の押鍵時に絶縁部５ｂから基板７上の対応する所定位置に配置されている所定の導電パターンによる固定接点（図示せず）と当接を開始するように構成したキースイッチの接点構造を示す各実施例である。以下、図１（ａ）〜図１（ｃ）に示した各実施例に従って、これらの操作子スイッチ（キースイッチ）の接点構造について各々説明する。図１（ａ）〜図１（ｃ）に示した各実施例は電子ピアノ等の電子鍵盤楽器の鍵盤に対する押鍵操作を検出するためのキースイッチに適用した場合（図６（ａ）参照）におけるキースイッチの接点構造であって、特にキースイッチの可動接点部５の先端部分（図６（ａ）において点線で示した円参照）のみを拡大して示したものである。なお、各実施例においてはキースイッチの可動接点部５の動作方向を矢印Ｘで示した。
【００１４】
まず、図１（ａ）に示した実施例を用いて、この実施例に示したキースイッチの接点構造について説明する。この図１（ａ）に示したキースイッチの接点構造は、可動接点部５における基板７との当接面Ａに導電部５ａと絶縁部５ｂとを設けたものである。ただし、図１（ａ）から理解できるように、この場合には押鍵時において基板７と可動接点部５の当接面Ａとが一度に全面的に接触することのないように、基板７を可動接点部５の当接面Ａと並行に配置せず、可動接点部５の当接面Ａに対して所定の角度αを持つように基板７を傾斜させた状態に配置する。以下、この図１（ａ）に示したキースイッチの接点構造におけるスイッチング動作について、簡単に説明する。
【００１５】
図示しない鍵の押鍵に応じた可動接点部５の回動に伴い、可動接点部５は基板７に向かって矢印Ｘ方向に下降する。すると、可動接点部５の当接面Ａに対して所定の角度αを持つように基板７は予め傾斜された状態で配置されていることから、可動接点部５の当接面Ａは基板７上の所定の導電パターンによる固定接点と一度に全面にわたって接触（つまり面当接）することなく、当接面Ａに設けられた絶縁部５ｂから接触を開始する。すなわち、可動接点部５は当接面Ａと基板７とが所定の角度αを保ちながら動作する。鍵を押す力が増すにつれて可動接点部５の形状は変形するので、それに伴い絶縁部５ｂと基板７上の所定の導電パターンによる固定接点との接触面積が順次に広がる。さらに、鍵を押す力が増して所定の力以上になると、絶縁部５ｂだけでなく当接面Ａに設けられた導電部５ａも基板７上の所定の導電パターンによる固定接点との接触を開始する。この導電部５ａが基板７上の所定の導電パターンによる固定接点と接触するとスイッチオン状態となり、所定の発音機構（図示せず）を動作させて発音を開始する。このように、所定の力以上で鍵２を押さない限り当接面Ａに設けられた導電部５ａが基板７上の所定の導電パターンによる固定接点と接触しない。すなわち、鍵を強打することによってバウンドが生じたような場合や、可動接点部５の当接面Ａの平面性あるいは基板７の平面性等にばらつきが生じているような場合には、所定の力以上で鍵を押すことがないので導電部５ａは基板７上の所定の導電パターンによる固定接点と接触することがない。したがって、１回の押鍵操作に応じて接点がオン／オフ時に飛び跳ねて何度も接点が接触状態と非接触状態とを繰り返してしまうことがないことから、これによりチャタリングの発生を防止することができるようになっている。
【００１６】
次に、図１（ｂ）に示した実施例を用いて、この実施例に示したキースイッチの接点構造について説明する。この図１（ｂ）に示したキースイッチの接点構造は、図１（ａ）に示した実施例と同様に可動接点部５における基板７上の所定の導電パターンによる固定接点との当接面Ａに導電部５ａと絶縁部５ｂとを設けたものである。ただし、基板７に対して所定の角度αを持つように可動接点部５の当接面Ａを傾斜した形状に形成する。この図１（ｂ）から理解できるように、この実施例においても基板７上の所定の導電パターンによる固定接点と可動接点部５の当節面Ａとが一度に全面的に接触することがない。以下、この図１（ｂ）に示したキースイッチの接点構造におけるスイッチング動作について、簡単に説明する。
【００１７】
図示しない鍵の押鍵に応じた可動接点部５の回動に伴い、可動接点部５が基板７に向かって矢印Ｘ方向に下降する。すると、可動接点部５の当接面Ａは基板７に対して所定の角度αを持つように傾斜した形状に形成されていることから、可動接点部５の当接面Ａは基板７上の所定の導電パターンによる固定接点に対して一度に全面にわたって接触（つまり面当接）することなく、当接面Ａに設けられた絶縁部５ｂから接触を開始する。鍵を押す力が増すにつれて可動接点部５の形状が変形することから、鍵を押す力が所定の力以上になった場合には当接面Ａに設けられた導電部５ａが基板７上の所定の導電パターンによる固定接点との接触を開始する。この導電部５ａが基板７上の所定の導電パターンによる固定接点と接触するとスイッチオン状態となり、所定の発音機構（図示せず）を動作させて発音を開始する。このように、この実施例においても所定の力以上で鍵を押さないと当接面Ａに設けられた導電部５ａが基板７上の所定の導電パターンによる固定接点との接触を開始しない。すなわち、鍵を強打することによってバウンドが生じたような場合や、可動接点部５の当接面Ａの平面性あるいは基板７の平面性等にばらつきが生じているような場合に、チャタリングが発生しないようチャタリングの発生を防止することができるようになっている。
【００１８】
さらに、図１（ｃ）に示した実施例を用いて、この実施例に示したキースイッチの接点構造について説明する。この図１（ｃ）に示したキースイッチの接点構造は、図１（ａ）に示した実施例と同様に可動接点部５における基板７上の所定の導電パターンによる固定接点７との当接面Ａに導電部５ａと絶縁部５ｂとを設けたものである。ただし、基板７上面の所定位置に所定の大きさのスペーサ８を配置する。この図１（ｃ）から理解できるように、この実施例においても基板７上の所定の導電パターンによる固定接点と可動接点部５の当節面Ａとが一度に全面的に接触（つまり面当接）することがない。以下、この図１（ｃ）に示したキースイッチの接点構造におけるスイッチング動作について、簡単に説明する。
【００１９】
図示しない鍵の押鍵に応じた可動接点部５の回動に伴い、可動接点部５が基板７に向かって矢印Ｘ方向に下降する。すると、基板７の上面にはスペーサ８が凸状に配置されていることから、まず当接面Ａに設けられた絶縁部５ｂがスペーサ８と接触する。鍵を押す力が増すにつれて可動接点部５及び／又はスペーサ８の形状が変形することから、それに伴い可動接点部５が基板７に向かってより押し込まれる。さらに、鍵を押す力が増して所定の力以上になると、当接面Ａに設けられた導電部５ａが基板７上の所定の導電パターンによる固定接点との接触を開始する。この導電部５ａが基板７上の所定の導電パターンによる固定接点と接触するとスイッチオン状態となり、所定の発音機構（図示せず）を動作させて発音を開始する。このように、所定の力以上で鍵を押さないと当接面Ａに設けられた導電部５ａが基板７上の所定の導電パターンによる固定接点との接触を開始しない。したがって、鍵を強打することによってバウンドが生じたような場合や、可動接点部５の当接面Ａの平面性あるいは基板７の平面性等にばらつきが生じているような場合であっても、１回の押鍵操作に応じて接点がオン／オフ時に飛び跳ねて何度も接点が接触状態と非接触状態とを繰り返してしまうことがない。すなわち、これによってもチャタリングの発生を防止することができるようになっている。
【００２０】
なお、上述した各実施例において、可動接点部５本体が非導電体（絶縁体）材質で形成されているような場合には、可動接点部５における基板７上の所定の導電パターンによる固定接点との当接面Ａに導電部５ａだけを設けて、あえて絶縁部５ｂを設けなくてもよいことは言うまでもない。
【００２１】
上述の図１に示した各実施例のように、可動接点部５における基板７との当接面Ａに導電部５ａと絶縁部５ｂとを設け、基板７上の所定の導電パターンによる固定接点と可動接点部５の当接面Ａとが全面にわたって一度に接触することがないように構成した場合には、導電部５ａと絶縁部５ｂの構成比率の違いがスイッチオン・オフタイミングに大きく影響する。すなわち、導電部５ａの面積を絶縁部５ｂの面積よりも広く構成した場合にはそれだけスイッチオンタイミングがはやくなるし、反対に導電部５ａの面積を絶縁部５ｂの面積よりも狭く構成した場合にはそれだけスイッチオンタイミングが遅くなる。このように、可動接点部５における基板７との当接面Ａに導電部５ａと絶縁部５ｂとを正確に形成することは非常に重要である。そこで、こうした可動接点部５における基板７との当接面Ａに導電部５ａと絶縁部５ｂとを正確に形成するのに適したキースイッチの接点構造の一実施例について、図２を用いて説明する。図２は、可動接点部５における基板７との当接面Ａに導電部５ａと絶縁部５ｂとを正確な構成比率で形成することができるようにしたキースイッチの接点構造の一実施例を示す概念図である。この図２では、上段側にキースイッチの接点構造を側面から見た側面図を、下段側にキースイッチの接点構造を底面から見た底面図を示した。
【００２２】
この図２から理解できるように、この実施例に示したキースイッチの接点構造では可動接点部５の先端部分に溝５ｃを設けている。一般的に、可動接点部５における導電部５ａは導電インクの塗布又は印刷などにより、あるいは導電体の接着又は一体成形などにより形成するものであるが、そうした場合に起こり得る導電インクのにじみ、導電インクの印刷や導電体の接着又は成形時の位置ずれなどを、可動接点部５に設けた溝５ｃにより防止することができる。すなわち、可動接点部５の先端部分に溝５ｃを設けておくことにより、導電部５ａと絶縁部５ｂとの境界位置を正確に規定することができるようになることから、各鍵毎に配置される複数の可動接点部５間で導電部５ａと絶縁部５ｂの構成に違いが生ずることなく、したがってどのキースイッチにおいても同一のスイッチング特性を示すように構成することが簡単にできるようになる。
【００２３】
なお、こうした可動接点部５に設ける溝５ｃは、可動接点部５形成工程のどの段階で形成されてもよい。例えば、ゴムなどのような弾性材料を用いた可動接点部５の成形時、導電インク塗布前、導電体の一体成形後の後加工時など、いつのどのような段階で形成するようにしてよい。また、可動接点部５形成時において、当接面Ａに別体を接着して導電部５ａ及び絶縁部５ｂを形成する場合に生じた「すきま」のようなものを溝５ｃとみなしてもよい。なお、基板７に対して所定の角度αを持つように可動接点部５の当接面Ａを傾斜した形状に形成した場合であっても（図１（ｂ）参照）、可動接点部５に溝５ｃを設けるようにしてよいことは言うまでもない。
【００２４】
次に、操作子スイッチ（キースイッチ）の接点構造における他の実施例について、図３及び図４を用いてそれぞれ説明する。図３及び図４は、操作子スイッチ（キースイッチ）の接点構造における他の実施例をそれぞれ示す概念図である。この実施例に示す操作子スイッチの接点構造は、図１に示したような可動接点部５の当接面Ａに導電部５ａと絶縁部５ｂとを分けて設けることをしなくても、基板７上に形成される所定の導電パターンからなる固定接点に従って基板７と可動接点部５の当接面Ａとが全面にわたって一度に接触（つまり面当接）することがないように構成したものである。この図３及び図４では、上段にキースイッチの接点構造を側面から見た側面図を、下段にキースイッチの接点構造を上面から見た上面図を示した。ただし、説明を理解しやすくするために、図３及び図４における各上面図においては可動接点部５の記載を省略し基板７のみを示した。また、上面図において点線で示す円は可動接点部５の導電部５ａとの接触領域を便宜的に示したものであり、黒く塗りつぶした領域は導電パターンによる固定接点を示したものである。
【００２５】
まず、図３に示したキースイッチの接点構造は、基板７上において可動接点部５の先端部分（当接面Ａ）と接触する領域の一部に導通しない領域（非導通領域）を設けておく一方で、可動接点部５全体を導電性のある弾性材質で構成する。また、可動接点部５はその先端部分（当接面Ａ）を傾斜した形状に形成する。すなわち、可動接点部５全体が導電体５ａで構成されていることから、可動接点部５における基板７との当接面Ａは一面全体にわたって導電体であることは当然である。他方、図３から理解できるように、基板７には長方形状の導電パターンからなる固定接点７ａ（被当接部）が所定位置に配置される。この固定接点７ａは導通領域であり、該固定接点７ａ以外の領域は非導通領域である。こうした構成によると、可動接点部５の当接面Ａは基板７に接触する際に非導通領域から接触を開始し、可動接点部５の回動が進むにつれて導通領域である固定接点７ａに接触することでスイッチオン状態となる。以下、この実施例に示したキースイッチの接点構造におけるスイッチング動作について簡単に説明する。
【００２６】
図示しない鍵の押鍵に応じた可動接点部５の回動に伴い、可動接点部５の当接面Ａが基板７に向かって下降する。すると、可動接点部５の当接面Ａは所定の角度を持つように傾斜形成されていることから、可動接点部５の当接面Ａは基板７と一度に全面が接触（つまり面当接）することなく当接面Ａの一部分のみが接触を開始する。接触開始時点において、可動接点部５の当接面Ａは基板７上に配置された固定接点７ａとは接触せず非導通領域のみと接触する。その場合、可動接点部５内部を流れている電流が基板７側へと流れることがないことから、スイッチオン状態とならない。鍵を押す力が増すにつれて可動接点部５の形状が変形し、それに伴い可動接点部５の当接面Ａと基板７との接触面積が広がる。さらに、鍵を押す力が増して所定の力以上になると、当接面Ａが基板７上に配置された固定接点７ａと接触を開始する。この当接面Ａが基板７上に配置された固定接点７ａと接触すると、可動接点部５内部を流れている電流の一部が基板７側へと流れるのでスイッチオン状態となり、これに従い所定の発音機構（図示せず）を動作させて発音を開始する。このように、所定の力以上で鍵を押さないと当接面Ａが基板７との接触を開始しない。したがって、この実施例においても、鍵を強打した場合や、可動接点部５における基板７との当接面Ａの平面性あるいは基板の平面性等にばらつきが生じているような場合に起こり得る無駄な挙動（つまり不要雑振動）が抑制されてからスイッチング動作が開始される。すなわち、チャタリングが発生しにくい構造となっている。
【００２７】
次に、図４に示した実施例におけるキースイッチの接点構造は、可動接点部５の当接面Ａに構成した導電部５ａの一部が先行して基板７上の所定の導電パターンからなる固定接点７ａに接触することにより、その先行当接時においては導電パターン７ａとのみ導通するよう構成したものである。この実施例において、導電パターン７ａ又は７ｂは対の電極であって、くし歯形電極パターンを構成している。こうした構成によると、可動接点部５の当接面Ａは基板７に接触する際に固定接点７ａとのみ接触を開始し、可動接点部５の回動が進むにつれて固定接点７ａとだけでなく固定接点７ｂに接触することでスイッチ回路を短絡してスイッチオン状態とする。すなわち、先行当接時において導電部５ａは固定接点７ａと導通しても実質的にはスイッチ回路として短絡することがないが、くし歯形電極パターンの根元として存在できる。これによると、より狭い領域に精巧な導電パターンからなる固定接点を配置したキースイッチを構成することができ、こうしたキースイッチにおいてチャタリングの発生を防止することができるようになる。
【００２８】
図５は、本発明に係る電子楽器における操作子スイッチ（キースイッチ）の接点構造を近接スイッチに適用した場合の実施例を示す概念図である。図５（ａ）は近接型のキースイッチの全体構成を示した概念図であり、図５（ｂ）は該キースイッチにおける可動接点部の先端部分（すなわち、図５（ａ）において点線で示した円の部分）のみを特に拡大して示した拡大図である。この図５に示した実施例は、被駆動体部９と該被駆動体部９の回転支点となるヒンジ部１１を持つ近接型のキースイッチにおいて可動接点部５における基板７との当接面Ａに導電部５ａと絶縁部５ｂとを設けてなり、可動接点部５が回動した場合においては当接面Ａの角度が変化して基板７上の固定接点（図示せず）と面当接するが、可動接点部５が不要振動した場合においては当接面Ａの角度が変化せずに基板７上の固定接点（図示せず）と面当接しないよう構成したものである。
【００２９】
図５（ａ）から理解できるように、この実施例に示すキースイッチ１は固定部である基板７上に固定されたベース部１２と、一端がヒンジ部１１を介してベース部１２に接続されると共に他方の一端が薄肉部材１０により支持された状態で、下方に突出した可動接点部５を有する被駆動体部９とが、ゴムのような弾性部材によって一体に形成されており、基板７上の可動接点部５と対向する位置には所定の導電パターンによる固定接点（図示せず）が形成されている。被駆動体部９は、ヒンジ部１１及び薄肉部材１０により所定の非押鍵時における傾斜位置への弾性復帰力を付与されている。被駆動体部９は、図示しない鍵の押鍵操作に従って動作するアクチュエータ部４により押圧されることで回動するようになっている。以下、この図５に示したキースイッチの接点構造におけるスイッチング動作について、簡単に説明する。
【００３０】
図示のような押鍵前の状態から鍵を押鍵すると、この鍵に設けられたアクチュエータ部４が被駆動体部９を上部から押し下げる。このアクチュエータ部４による押圧に従ってヒンジ部１１を支点として被駆動体部９が回動することに伴って、被駆動体部９に設けられた可動接点部５が回動を開始して基板７に向かって矢印Ｘ方向に下降していく。そして、下降を続けて可動接点部２の先端部分に設けられている導電部５ａが基板７と接触するとオン状態を検知し、所定の発音機構（図示せず）を動作して発音を開始する。図５（ｂ）から理解できるように、可動接点部５において基板７と対向する先端部分における当接面Ａには導電部５ａと絶縁部５ｂとが形成されている。また、可動接点部５は、基板７に対して所定の角度αを持つように当接面Ａを傾斜した形状に形成されている。
【００３１】
この可動接点部５の当接面Ａに設けられている導電部５ａは、上記したように押鍵時にアクチュエータ部４によって被駆動体部９上部が押圧駆動されることに伴い基板７に対して矢印Ｘ方向に回動し、前記可動接点部５に対となるようにして基板７上の所定位置に形成されている図示しない固定接点をオンする。この際に、可動接点部５の当接面Ａは基板７と面当接する。他方、鍵を強打した場合や、可動接点部５における基板７との当接面Ａの平面性あるいは基板の平面性等にばらつきが生じているような場合に起こり得る無駄な挙動（つまり不要雑振動）により可動接点部５が動作する場合、可動接点部５は回動動作せずに基板７に対して垂直方向に動作する。したがって、こうした場合には、可動接点部５の当接面Ａは基板７と面当接、つまり導電部５ａと絶縁部５ｂの両方が同時に接触することがなく、絶縁部５ｂのみが基板７と接触する。すなわち、図５に示したキースイッチの接点構造では、可動接点部５が本来想定している回動動作を伴わない限り、導電部５ａが基板７の固定接点と当接することがないので導通しない。したがって、外乱による不要雑振動、被駆動体部の自重による変形、慣性力による変形、回転支点の芯ずれによる想定しない基板７への接触時においては、絶縁部５ｂが率先して基板７に接触するので不要雑振動を抑制することができるようになる。これにより、従来なし得なかったゴム部品等の一般寸法交叉以下の隙間しか存在しない近接スイッチでも外乱振動などによるスイッチングの誤作動を防止することができるようになる。
【００３２】
なお、上述した各実施例では電子鍵盤楽器における各鍵に対応して設けられているキースイッチを例にキースイッチの接点構造について説明したが、該キースイッチの接点構造を適用するものは鍵盤の押鍵動作を検知するものに限らないことは言うまでもない。すなわち、上述した各実施例に示したキースイッチの接点構造は、電子鍵盤楽器の鍵盤以外の各種操作子や電子検眼楽器以外のその他の電子楽器における演奏操作子や各種操作子のスイッチ動作を検知するキースイッチに適用してよい。
【００３３】
【発明の効果】
以上のように、この発明においては、可動接点部の不要雑振動を簡単な構成で抑制するようにしたので、これによりチャタリングの発生を防止することができる、という優れた効果が得られる。
【図面の簡単な説明】
【図１】  本発明に係る電子楽器における操作子スイッチの接点構造の一実施例を示す概念図である。
【図２】  絶縁部及び導電部を正確な構成比率で形成することができるようにしたキースイッチの接点構造の一実施例を示す概念図である。
【図３】  操作子スイッチの接点構造の別の実施例を示す概念図である。
【図４】  操作子スイッチの接点構造のさらに別の実施例を示す概念図である。
【図５】  本発明に係る電子楽器における操作子スイッチの接点構造を近接スイッチに適用した場合の実施例を示す概念図である。
【図６】  従来から知られた代表的な電子楽器における操作子スイッチの接点構造を説明するための概念図であり、図６（ａ）はキースイッチの全体構成を示した概念図、図６（ｂ）は該キースイッチにおける可動接点部の先端部分のみを特に拡大して示した拡大図である。
【符号の説明】
１…操作子スイッチ（キースイッチ）、２…鍵、３…回動支点、４…アクチュエータ部、５…可動接点部、５ａ…導電部、５ｂ…絶縁部、６…支持部、７…基板、７ａ、７ｂ…固定接点（被当接部）、８…スペーサ、９…被駆動体部、１０…薄肉部材、１１…ヒンジ部、１２…ベース部、Ａ…当接部（当接面）
【図１】
0003912113.tif 000002
【図２】
0003912113.tif 000003
【図３】
0003912113.tif 000004
【図４】
0003912113.tif 000005
【図５】
0003912113.tif 000006
【図６】
0003912113.tif 000007